(57)【要約】【課題】ロック部材の交換作業を容易且つ円滑に行わせることができる島設備の台間装置を提供する。【解決手段】装置本体２と、遊技機の前扉を開放するのを規制又は許容し得るロック手段１３とを具備した島設備の台間装置において、ロック手段１３は、装置本体２に対して前後方向に摺動可能なアーム部Ｄと、該アーム部Ｄの先端部に取り付けられ、当該アーム部Ｄが後退した状態でロック位置とされるとともに前進した状態で非ロック位置とされ、当該非ロック位置にあるときアーム部Ｄに対して揺動可能なロック部材１３ａと、アーム部Ｄの先端部で突出方向に付勢されたピン状の係止部材２４ｃを有するとともに、当該係止部材２４ｃが突出状態と没入状態との間で移動可能とされ、突出状態にてロック部材１３ａと係止して当該ロック部材１３ａの揺動軸を成す連結手段２４とを具備したものである。【選択図】図１０
2013135822.tif 000002
【特許請求の範囲】
【請求項１】
島設備における遊技機の側方近傍に設置可能とされた装置本体と、
前記装置本体に配設されるとともに、前記遊技機の前扉を開放するのを規制又は許容し得るロック手段と、
を具備した島設備の台間装置において、
前記ロック手段は、
前記装置本体に対して前後方向に摺動可能なアーム部と、
該アーム部の先端部に取り付けられ、当該アーム部が後退した状態でロック位置とされるとともに前進した状態で非ロック位置とされ、当該非ロック位置にあるとき前記アーム部に対して揺動可能なロック部材と、
前記アーム部の先端部で突出方向に付勢されたピン状の係止部材を有するとともに、当該係止部材が突出状態と没入状態との間で移動可能とされ、突出状態にて前記ロック部材と係止して当該ロック部材の揺動軸を成す連結手段と、
を具備したことを特徴とする島設備の台間装置。
【請求項２】
前記係止部材は、前記アーム部に対して左右一対形成されるとともに、前記ロック部材を嵌入可能な取外治具により前記一対の係止部材が没入状態とされ、当該ロック部材の取外しが可能とされることを特徴とする請求項１記載の島設備の台間装置。
【請求項３】
前記取外治具は、前記ロック部材に対する嵌入状態で前記一対の係止部材に対応する位置に形成された一対の押圧ピンを具備するものとされ、当該一対の押圧ピンで前記一対の係止部材を同時に押圧して没入状態とし得ることを特徴とする請求項２記載の島設備の台間装置。
【発明の詳細な説明】
【技術分野】
【０００１】
本発明は、島設備の隣接する遊技機間に設置される島設備の台間装置に関するものである。
【背景技術】
【０００２】
通常、パチンコ店内に設置された島設備には、複数の遊技機（パチンコ遊技機やスロットマシン等）が並設されており、その隣接する遊技機間には台間装置が設置されている。かかる従来の台間装置として、例えば特許文献１にて開示されているように、遊技機の前扉をロックするロック手段を具備したものが提案されている。このロック手段は、前後方向に移動可能なアーム部と、アーム部の先端部に取り付けられて遊技機の前扉の開閉動作を規制するロック部材とを有するとともに、ロック部材は、遊技機の種類に応じて適宜交換可能とされていた。
【先行技術文献】
【特許文献】
【０００３】
【特許文献１】特開２０１１−８７７２６号公報
【発明の概要】
【発明が解決しようとする課題】
【０００４】
しかしながら、上記従来の台間装置においては、ロック部材とアーム部とがビス等で強固に連結されていたため、ロック部材を交換する際、ビス等の取り外しが困難となってしまい、交換時の作業性が悪化してしまうという問題があった。なお、島設備の遊技機を交換する際、新たに設置される遊技機の前扉の形状等に応じて多数のロック部材を一斉に交換する場合があることから、当該ロック部材の交換時における作業性に関する不具合は解消されるべきものであった。
【０００５】
本発明は、このような事情に鑑みてなされたもので、ロック部材の交換作業を容易且つ円滑に行わせることができる島設備の台間装置を提供することにある。
【課題を解決するための手段】
【０００６】
請求項１記載の発明は、島設備における遊技機の側方近傍に設置可能とされた装置本体と、前記装置本体に配設されるとともに、前記遊技機の前扉を開放するのを規制又は許容し得るロック手段とを具備した島設備の台間装置において、前記ロック手段は、前記装置本体に対して前後方向に摺動可能なアーム部と、該アーム部の先端部に取り付けられ、当該アーム部が後退した状態でロック位置とされるとともに前進した状態で非ロック位置とされ、当該非ロック位置にあるとき前記アーム部に対して揺動可能なロック部材と、前記アーム部の先端部で突出方向に付勢されたピン状の係止部材を有するとともに、当該係止部材が突出状態と没入状態との間で移動可能とされ、突出状態にて前記ロック部材と係止して当該ロック部材の揺動軸を成す連結手段とを具備したことを特徴とする。
【０００７】
請求項２記載の発明は、請求項１記載の島設備の台間装置において、前記係止部材は、前記アーム部に対して左右一対形成されるとともに、前記ロック部材を嵌入可能な取外治具により前記一対の係止部材が没入状態とされ、当該ロック部材の取外しが可能とされることを特徴とする。
【０００８】
請求項３記載の発明は、請求項２記載の島設備の台間装置において、前記取外治具は、前記ロック部材に対する嵌入状態で前記一対の係止部材に対応する位置に形成された一対の押圧ピンを具備するものとされ、当該一対の押圧ピンで前記一対の係止部材を同時に押圧して没入状態とし得ることを特徴とする。
【発明の効果】
【０００９】
請求項１の発明によれば、アーム部の先端部で突出方向に付勢されたピン状の係止部材を有するとともに、当該係止部材が突出状態と没入状態との間で移動可能とされ、突出状態にてロック部材と係止して当該ロック部材の揺動軸を成す連結手段を具備したので、ロック部材の交換作業を容易且つ円滑に行わせることができる。
【００１０】
請求項２の発明によれば、係止部材は、アーム部に対して左右一対形成されるとともに、ロック部材を嵌入可能な取外治具により一対の係止部材が没入状態とされ、当該ロック部材の取外しが可能とされるので、ロック部材の取外し作業を容易且つ円滑に行わせることができる。
【００１１】
請求項３の発明によれば、取外治具は、ロック部材に対する嵌入状態で一対の係止部材に対応する位置に形成された一対の押圧ピンを具備するものとされ、当該一対の押圧ピンで一対の係止部材を同時に押圧して没入状態とし得るので、ロック部材の取外し作業をより一層容易且つ円滑に行わせることができる。
【図面の簡単な説明】
【００１２】
【図１】本発明の実施形態に係る島設備の台間装置を示す正面図
【図２】同台間装置の内部構成を示す側面図
【図３】同台間装置を示す背面図
【図４】同台間装置におけるロック手段（アーム部の摺動前）の詳細を示す側面図
【図５】同台間装置におけるロック手段（アーム部の摺動前）の詳細を示す断面図
【図６】同台間装置におけるロック手段（アーム部の摺動後）の詳細を示す側面図
【図７】同台間装置におけるロック手段（アーム部の摺動後）の詳細を示す断面図
【図８】同台間装置における連結手段を示す外観図
【図９】同台間装置における連結手段の内部構成を示す模式図
【図１０】同台間装置における連結手段によるロック部材の連結状態を示す模式図
【図１１】同台間装置におけるロック手段のロック部材を示す拡大図
【図１２】同台間装置における取外治具を示す平面図
【図１３】同台間装置における取外治具によりロック部材を嵌入させた状態を示す図１２におけるＸＩＩＩ−ＸＩＩＩ線断面図
【図１４】同台間装置における取外治具によりロック部材を嵌入させた状態を示す底面図
【図１５】同台間装置が適用されるパチンコ遊技機を示す正面図
【図１６】同台間装置が適用されるパチンコ遊技機を示す側面図
【図１７】同台間装置におけるロック手段を示す模式図であり、（ａ）短い寸法のロック部材（ｂ）長い寸法のロック部材を示す図
【図１８】同台間装置が設置される島設備全体を示す模式図
【発明を実施するための形態】
【００１３】
以下、本発明の実施形態について図面を参照しながら具体的に説明する。
本実施形態に係る島設備の台間装置は、図１８に示すように、パチンコ遊技店における島設備Ｓの隣接するパチンコ遊技機Ｐ間に設置され、前方（同図中手前側）に向かって送風することによりエアカーテンを形成可能なものであり、図１〜３に示すように、装置本体２と、ファン部材３と、モータ４と、吸入口５と、吐出口６と、案内部材１２と、ロック手段１３と、制御基板１４と、収容部２２とを有して構成されている。
【００１４】
パチンコ遊技機Ｐは、図１５、１６に示すように、島設備Ｓに固定される固定枠Ｐｂと、固定枠Ｐｂに対して開閉自在とされた前扉Ｐａとを有しており、前扉Ｐａには、ガラス枠と遊技盤取付枠（内枠）とが形成されている。然るに、右側縁部に形成された鍵穴に鍵を差し込みつつ所定方向に回転させることにより、前扉Ｐａを固定枠Ｐｂに対して開放し得るようになっている。尚、同図中符号Ｐｃは、前扉Ｐａを固定枠Ｐｂに対して開閉可能とするヒンジを示している。
【００１５】
装置本体２は、台間装置１の筐体を成すもので全体として上下に細長い箱型形状とされており、島設備Ｓにおけるパチンコ遊技機Ｐの側方近傍に設置可能とされるとともに内部に種々構成要素が収容されている。かかる装置本体２は、上下寸法がパチンコ遊技機Ｐの高さ寸法と略同一とされており、その前面２ａを島設備Ｓの前方に臨ませつつ背面２ｂ及び側面（上面及び下面も同様）を島設備Ｓ内に臨ませて固定されるようになっている。尚、図中符号２２は、パチンコ遊技機Ｐの遊技内容に関する説明が記載された説明書を収容可能な収容部を示しており、符号２２ａは、収容した説明書を係止するための係止手段を示している。また、符号２ｃは、収容部２２に説明書を挿入するための挿入口を示している。
【００１６】
ここで、本実施形態に係る装置本体２には、その側方近傍のパチンコ遊技機Ｐにおける前扉Ｐａの開放を規制するロック手段１３が配設されている。かかるロック手段１３は、図２及び図４〜８に示すように、装置本体２の前後方向に亘って略直線状に固定された摺動レール１９と、該摺動レール１９に沿って摺動して前進又は後退可能とされた可動部材２０及びアーム部Ｄと、アーム部Ｄの先端部に形成されたロック部材１３ａと、可動部材２０及びロック部材１３ａをロック位置から非ロック位置に向かって前進側に付勢するスプリングｓ（付勢手段）と、可動部材２０及びアーム部Ｄを所定位置で係止させる揺動部材１５と、該揺動部材１５を動作させるソレノイド２３（解除手段）とから主に構成されている。
【００１７】
可動部材２０には、その長手方向に亘って複数（本実施形態においては４つ）の転動部材２１が形成されている。かかる転動部材２１は、それぞれが摺動レール１９に対して当接しつつ軸Ｌ２を中心に転動自在に配設されており、可動部材２０及びアーム部Ｄの前後方向の摺動に伴って転動することにより、当該可動部材２０及びアーム部Ｄの摺動を滑らか且つスムーズに行わせ得るよう構成されている。
【００１８】
可動部材２０には、略水平方向に延びて装置本体２に対して前後方向に摺動可能なアーム部Ｄが連結されているとともに、当該アーム部Ｄの先端部にロック部材１３ａが取り付けられている。これにより、アーム部Ｄは、可動部材２０の摺動と共に装置本体２に対して前後方向に摺動可能とされている。ロック部材１３ａは、フック状に形成された例えば樹脂成形品から成るもので、図１６に示すように、アーム部Ｄが後退した状態でロック位置（α）とされるとともに前進した状態で非ロック位置（β）とされるようになっている。
【００１９】
ここで、本実施形態に係るロック部材１３ａは、連結手段２４によりアーム部Ｄの先端部に連結されるとともに、非ロック位置にあるときアーム部Ｄに対して揺動可能とされている。すなわち、ロック部材１３ａは、図１１に示すように、非ロック位置（β）にあるとき連結手段２４を揺動軸としてアーム部材Ｄに対して揺動自在（フリーな状態）とされているとともに、ロック位置（α）にあるとき連結手段２４を中心とした当該揺動が規制されるよう構成されている。
【００２０】
より具体的に説明すると、図５に示すように、アーム部Ｄが後退した状態とされてロック部材１３ａがロック位置（α）にあるとき、当該ロック部材１３ａの周囲をカバー部材１８が覆うよう構成されており、当該カバー部材１８の開口縁部１８ａによりロック部材１３ａの揺動が規制されているのである。また、ロック部材１３ａがロック位置（α）にあるとき、当該ロック部材１３ａの背面がストッパＴのストッパ面Ｔａと当接又は近接した状態となっており、これによってもロック部材１３ａの揺動が規制されている。
【００２１】
これにより、非ロック位置（β）にあるロック部材１３ａを揺動させてパチンコ遊技機Ｐの前扉Ｐａを開放させ易くすることができる一方、ロック位置（α）にあるロック部材１３ａの揺動を規制して当該前扉Ｐａのロック（開放の規制）を確実に行わせることができる。また、可動部材２０が前進して非ロック位置（β）にあるとき、ロック部材１３ａに対して作業者等が干渉してしまったとしても、当該ロック部材１３ａが揺動自在となっているので、過度に荷重が付与されるのを抑制でき、破損等を回避することができる。
【００２２】
揺動部材１５は、揺動軸１５ｂを中心に揺動自在とされるとともに、スプリング（不図示）によって常時上方へ付勢されており、その先端には可動部材２０の外周面に形成された凹凸形状の被係止部２０ａに対して係止可能な爪部１５ａが形成されている。而して、爪部１５ａが被係止部２０ａに係止することにより可動部材２０及び該可動部材２０と連結されたアーム部Ｄを係止することができ、図２、５で示す如く、ロック部材１３ａを後退側（即ち、ロック位置（α））で保持させることができる。この状態においては、その側方近傍のパチンコ遊技機Ｐにおける前扉Ｐａ（前面枠及びガラス枠）の前方近傍にロック部材１３ａが位置することとなり、当該前扉Ｐａの開放を規制し得るようになっている。
【００２３】
解除手段としてのソレノイド２３は、その作動軸２３ａが揺動部材１５と連結されており、当該ソレノイド２３に通電して作動軸２３ａを作動させることにより、揺動部材１５をスプリング（不図示）の付勢力に抗して揺動させ得るよう構成されている。これにより、爪部１５ａが被係止部２０ａから離間して係止が解かれることとなり、可動部材２０がスプリングｓの付勢力で前進側に摺動するので、図１６に示すように、ロック部材１３ａをロック位置（α）から非ロック位置（β）に略直線状に移動させ得るようになっている。
【００２４】
而して、可動部材２０が前進側に摺動すると、ロック部材１３ａがパチンコ遊技機Ｐにおける前扉Ｐａから更に前方に遠ざかり、当該前扉Ｐａの開放を許容し得ることとなる。このように、ソレノイド２３（解除手段）によって可動部材２０に対する係止を解除すればロック位置（α）にある可動部材２０及びロック部材１３ａがスプリングｓ（付勢手段）の付勢力にて非ロック位置（β）まで自動的に移動することとなり、ロック解除時の作業性を向上させることができる。
【００２５】
尚、可動部材２０に形成された被係止部２０ａの凹凸形状は、当該可動部材２０の摺動方向に亘って複数形成されているため、爪部１５ａの係止を任意部位にて行わせれば、可動部材２０を任意位置にて保持させることができる。従って、ロック部材１３ａのロック位置（α）及び非ロック位置（β）をパチンコ遊技機Ｐの形態に合わせて設定することができる。
【００２６】
一方、本実施形態に係るロック部材１３ａは、アーム部Ｄの先端部に対して脱着可能とされており、当該ロック部材１３ａがパチンコ遊技機Ｐの前扉Ｐａにおける被ロック部位（ロック部材１３ａがロック位置にあるときにロックされる部位）及びその近傍の形状又は寸法に応じたものに任意交換可能とされている。例えば、図１７（ａ）に示すように長手寸法ｔ’が比較的短いロック部材１３ａ’が軸Ｌ１に取り付けられている場合、当該ロック部材１３ａ’を軸Ｌ１から取り外し、同図（ｂ）に示すような長手寸法ｔ”が比較的短いロック部材１３ａ”を取り付けて交換することにより、パチンコ遊技機Ｐの前扉Ｐａにおける被ロック部位及びその近傍の形状または寸法に応じたものに交換することができる。
【００２７】
然るに、形状又は寸法が互いに異なる複数のロック部材１３ａ（例えば、上記ロック部材１３ａ’及び１３ａ”の如き）が用意されるとともに、当該ロック部材１３ａのうちパチンコ遊技機Ｐの前扉Ｐａの形状又は寸法に応じて選択されたものがロック手段１３（即ち、可動部材２０の先端に形成された軸Ｌ１）に取り付け可能とされるようにするのが好ましい。この場合、図１７で示すように、交換対象のロック部材１３ａ’、１３ａ”は、ロック位置でパチンコ遊技機Ｐの前扉Ｐａと対向する面（例えば、同図中符号ｓｆ’及びｓｆ”）が種々形状及び寸法とされたものを用意しておき、当該前扉Ｐａの形状及び寸法に応じて選択するのが好ましい。
【００２８】
ここで、本実施形態に係るロック手段１３は、上述したアーム部Ｄ及びロック部材１３ａに加え、連結手段２４を具備して構成されている。かかる連結手段２４は、図８〜１０に示すように、円筒状の金属製部品から成る本体部材２４ａと、該本体部材２４ａ内に収容された付勢手段としてのスプリング２４ｂと、該スプリング２４ｂで付勢された係止部材２４ｃと、本体部材２４ａの外周に取り付けられた支持部材２４ｄとから主に構成されている。なお、支持部材２４ｄは、全体として略円筒状部品とされるとともに、一部に平面から成る取付面２４ｄａが形成されており、当該取付面２４ｄａがアーム部Ｄの先端部における所定部位と当接して組み付けられている。
【００２９】
係止部材２４ｃは、スプリング２４ｂによる付勢力によってアーム部Ｄの先端部で突出方向に付勢された左右一対のピン状の部材から成り、それぞれの基端部にフランジ部２４ｃａが形成されている。このフランジ部２４ｃａにより本体部材２４ａに対する係止部材２４ｃの抜け止めが図られている。また、係止部材２４ｃは、突出状態と没入状態との間で移動可能とされ、突出状態にてロック部材１３ａと係止して当該ロック部１３ａの揺動軸を成すものとされている。
【００３０】
すなわち、ロック部材１３ａの所定部位には、図１０に示すように、一対の取付孔１３ａａが形成されており、突出状態の係止部材２４ｃが当該取付孔１３ａａにそれぞれ挿入することによりロック部材１３ａをアーム部Ｄの先端部で係止し得るのである。また、スプリング２４ｂの付勢力に抗して係止部材２４ｃを突出状態から没入状態まで移動させることにより、当該係止部材２４ｃによる係止を解くことができ、ロック部材１３ａをアーム部Ｄの先端部から取外し可能とされている。
【００３１】
さらに、本実施形態においては、ロック部材１３ａを嵌入可能な取外治具２５により一対の係止部材２４ｃが没入状態とされ、当該ロック部材１３ａの取外しが可能とされている。かかる取外治具２５は、図１２〜１４に示すように、嵌入部２５ａと、操作部２５ｂの先端に形成されるとともに付勢手段としてのスプリング２５ｄで付勢された一対の押圧ピン２５ｃと、位置決め壁２５ｅとを有して構成されている。
【００３２】
嵌入部２５ａは、ロック部材１３ａを嵌入し得る溝形状から成り、当該嵌入部２５ａにてロック部材１３ａを嵌入した状態で取外治具２５のロック部材１３ａに対する幅方向（図１０、１３中左右方向）の位置決めが図られるようになっている。操作部２５ｂは、スプリング２５ｄにて突出する方向（図１０、１３における外側に向かう方向）に常時付勢されており、スプリング２５ｄによる付勢力に抗して押し込まれることで、押圧ピン２５ｃを内側に向かって移動可能とされている。
【００３３】
一対の押圧ピン２５ｃは、取外治具２５のロック部材１３ａに対する嵌入状態で一対の係止部材２４ｃに対応する位置にそれぞれ形成されたものであり、嵌入状態において操作部２５ｂを同時に押し込み操作すると、一対の係止部材２４ｃを同時に押圧して没入状態とすることができるものである。しかして、操作部２５ｂを押し込み操作して係止部材２４ｃを没入状態とした後、取外治具２５と共にロック部材１３ａを取外し方向に移動させれば、当該ロック部材１３ａをアーム部Ｄの先端部から取り外すことができる。なお、押圧ピン２５ｃの先端は略球面形状とされており、ロック部材１３ａの取外し時の摺動抵抗が低減されている。
【００３４】
位置決め壁２５ｅは、取外治具２５がロック部材１３ａに対して嵌入した状態において、当該ロック部材１３ａの端面（図１０中下面）と当接する壁部から成るものである。すなわち、ロック部材１３ａに対して位置決め壁２５ｅを当接させつつ嵌入部２５ａにて嵌入すると、一対の押圧ピン２５ｃがそれぞれ係止部材２４ｃと対向した位置になるよう位置決めされるのである。これにより、確実且つ円滑に、ロック部材１３ａの取外し作業を行わせることができる。
【００３５】
なお、装置本体２には、その前面２ａ上部に操作手段７（後で詳述する）、表示灯９及び噴出口１０が形成されている。表示灯９は、複数個のＬＥＤで形成され、ファン部材３の駆動状態（モータ４の駆動状態）やロック手段１３の作動状態を点灯表示し得るようになっている。噴出口１０は、静電霧化微粒子水発生装置１１（図２参照）で生じた帯電微粒子水を前方（遊技者側）に噴霧させるための開口である。当該静電霧化微粒子水発生装置１１は、背面２ｂに設けたノズル１１ａから水を供給することにより、この水を静電霧化作用で帯電微粒子水とするためのものであり、これにより、遊技者近傍の空気が清浄化されたり加湿されて、快適な遊技空間が得られるようになっている。
【００３６】
ファン部材３は、所謂クロスフローファンと称されるファンから成り、図２に示すように、装置本体２内で上下方向に延びた回転軸を中心に回転可能に配設されるとともに、側面に送風のための羽根が形成された略円筒状のものから成る。かかるファン部材３は、フレームにおいて回転自在に取り付けられており、当該フレームの上部にはモータ４が形成されている。
【００３７】
当該モータ４は、ファン部材３を回転軸を中心として回転駆動させるための駆動源である。而して、本実施形態においては、ファン部材３とモータ４とを同一フレームに組み付けて一体とすることにより送風ユニットＹを構成しており、当該送風ユニットＹが装置本体２内において上下方向に複数（本実施形態においては２つ）並設されている。尚、本実施形態においては、送風ユニットＹが上下に２つ配設されているが、上下方向に亘って１つ配設したもの、或いは３つ以上配設したものとしてもよい。即ち、装置本体２に形成された吸入口５及び吐出口６の形成位置や他の構成要素の配設関係に応じて送風ユニットＹを任意の位置で配設することができるのである。
【００３８】
吸入口５は、装置本体２の背面２ｂで開口し、ファン部材３の回転駆動により当該装置本体２内に空気を吸入し得るものである。尚、吸入口５の他、装置本体２の側面で開口し、ファン部材３の回転駆動により当該装置本体２内に空気を吸入し得る吸入口も形成されている。然るに、本実施形態においては、吸入口５は、装置本体２の背面２ｂ及び側面に形成されているが、前面２ａ以外の他の面（装置本体２の上面又は下面）に形成するようにしてもよい。尚、図２中符号１６は吸入口５を覆った活性炭フィルタを示しており、当該吸入口５から吸入される空気を濾過して浄化し得るようになっている。
【００３９】
吐出口６は、装置本体２の前面２ａ側で上下方向に延びてスリット状に開口し、ファン部材３の回転駆動により吸入口５から吸入した空気を吐出させることにより前方に向かって送風し得るものであり、かかる送風により隣接するパチンコ遊技機Ｐ間において所謂エアカーテンを形成することができる。即ち、本実施形態においては、吸入口５が装置本体２の背面２ｂ（及び側面）に形成されているため、吐出口６を装置本体２の前面２ａにおける広い範囲に亘って形成させることができ、エアカーテンの高さ方向（上下方向）の幅（空気の流れで形成される壁の高さ）を大きく設定することができるのである。
【００４０】
更に、装置本体２の前面２ａ上部には、ファン部材３の駆動をオン・オフ操作（即ち、モータ４のオン・オフ操作）するための又は当該ファン部材３の回転速度を任意に調整するための操作手段７が配設されている。具体的には、かかる操作手段７は、押圧操作及び回転操作が可能な操作摘みから成り、押圧操作によりファン部材３が回転駆動開始又は停止されるとともに、回転操作により可変抵抗器８（図２参照）を作用させてモータ４に送られる電流を変化させ、当該ファン部材３を任意の回転速度に調整し得るようになっている。
【００４１】
案内部材１２は、ファン部材３からの送風を吐出口６まで案内するもので、装置本体２の内部空間を左右に仕切る仕切板から成り、その表面でファン部材３からの送風を吐出口６まで導いて案内させるようになっている。即ち、ファン部材３の回転駆動により吸入口５から吸入した空気は、吐出口６に向かって流れる過程において、案内部材１２の表面で整流されつつ当該吐出口６に導かれて案内されるよう構成されているのである。
【００４２】
更に、上下の案内部材１２のうち上方に取り付けられた案内部材１２における裏面には、図２に示すように、所定の電気回路が形成された制御基板１４が取り付けられている。かかる制御基板１４は、装置本体２内に配設された種々電機部品（モータ４やソレノイド２３等）を制御するためのマイコン等を具備したプリント基板から成るもので、ネジ等の汎用的締結手段にて案内部材１２の裏面側に固定されている。
【００４３】
これにより、ファン部材３からの送風により、エアカーテンを形成することができるのに加え、制御基板１４の冷却を図ることができる。即ち、エアカーテンを形成するための送風を流用し、その送風にて制御基板１４におけるマイコン等が過熱してしまうのを抑制することができるのである。而して、制御基板１４の過熱を防止することができるとともに当該制御基板１４のための別個の冷却手段が不要とされる。尚、図２中符号１７は、制御基板１４から突出形成された冷却手段を示している。
【００４４】
上記実施形態によれば、アーム部Ｄの先端部で突出方向に付勢されたピン状の係止部材２４ｃを有するとともに、当該係止部材２４ｃが突出状態と没入状態との間で移動可能とされ、突出状態にてロック部材１３ａと係止して当該ロック部材１３ａの揺動軸を成す連結手段２４を具備したので、ロック部材１３ａの交換作業を容易且つ円滑に行わせることができる。
【００４５】
また、上記実施形態によれば、係止部材２４ｃは、アーム部Ｄに対して左右一対形成されるとともに、ロック部材１３ａを嵌入可能な取外治具２５により一対の係止部材２４ｃが没入状態とされ、当該ロック部材１３ａの取外しが可能とされるので、ロック部材１３ａの取外し作業を容易且つ円滑に行わせることができる。さらに、取外治具２５は、ロック部材１３ａに対する嵌入状態で一対の係止部材２４ｃに対応する位置に形成された一対の押圧ピン２５ｃを具備するものとされ、当該一対の押圧ピン２５ｃで一対の係止部材２４ｃを同時に押圧して没入状態とし得るので、ロック部材１３ａの取外し作業をより一層容易且つ円滑に行わせることができる。
【００４６】
なお、ロック部材１３ａは、パチンコ遊技機Ｐの前扉Ｐａにおける被ロック部位及びその近傍の形状又は寸法に応じたものに任意交換可能とされたので、ロック手段１３をロック位置と非ロック位置との間で動作させる過程でパチンコ遊技機Ｐの前扉Ｐａと干渉してしまうのを確実に回避することができるとともに、台間装置の設置コストを抑制しつつパチンコ遊技機Ｐの前扉Ｐａの形態に合わせたロック手段１３を具備させることができる。
【００４７】
また、形状又は寸法が互いに異なる複数のロック部材１３ａが用意されるとともに、当該ロック部材１３ａのうちパチンコ遊技機Ｐの前扉Ｐａの形状又は寸法に応じて選択されたものがロック手段１３に取り付け可能とされたので、より容易且つ適切にパチンコ遊技機Ｐの前扉Ｐａに応じたロック部材１３ａに交換することができる。交換対象のロック部材１３ａは、図１７の如きものに限定されず、面ｓｆ’、ｓｆ”の突出長さ（図中左側への延出寸法）や突出角度等が種々変更されたもの、或いは種々のキャラクタ等に模したものであってもよい。
【００４８】
ロック手段１３は、装置本体２の前後方向に亘って略直線状に形成された摺動レール１９と、該摺動レール１９に沿って摺動して前進又は後退可能とされた可動部材２０及びアーム部Ｄと、アーム部Ｄの先端部に形成され、当該アーム部Ｄが後退した状態でロック位置（α）とされるとともに前進した状態で非ロック位置（β）とされるロック部材１３ａとを備えたので、ロック部材１３ａをロック位置（α）と非ロック位置（β）との間で動作させる過程でパチンコ遊技機Ｐの前扉Ｐａと干渉してしまうのを確実に回避することができる。
【００４９】
以上、本実施形態について説明したが、本発明はこれに限定されるものではなく、例えばファン部材３及びモータ４を具備しないもの（その場合、吸入口５及び吐出口６も形成されない）としてもよく、更には操作手段７、表示灯９及び静電霧化微粒子水発生装置１１、収容部２２等を具備しないもの（即ち、専らパチンコ遊技機Ｐの前扉Ｐａをロックし得る台間装置等）としてもよく、更には他の機能が付加されたもの（例えば、プリペイドカード投入口等が形成された台間装置等）としてもよい。
【００５０】
更に、本実施形態においては、左右一対の係止部材２４ｃにてアーム部Ｄの先端部にロック部材１３ａが係止されているが、単一の係止部材或いは３つ以上の係止部材によりロック部材１３ａを係止するものであってもよい。取外治具２５は、嵌入部２５ａ又は位置決め壁２５ｅ等の位置決めのための部位が形成されないものであってもよい。また、本実施形態においては、パチンコ遊技機Ｐが並設された島設備Ｓに適用されているが、スロットマシン等他の遊技機が並設された島設備に適用することができる。
【産業上の利用可能性】
【００５１】
アーム部の先端部で突出方向に付勢されたピン状の係止部材を有するとともに、当該係止部材が突出状態と没入状態との間で移動可能とされ、突出状態にてロック部材と係止して当該ロック部材の揺動軸を成す連結手段を具備した島設備の台間装置であれば、外観形状が異なるもの或いは他の機能が付加されたもの等にも適用できる。
【符号の説明】
【００５２】
１  台間装置
２  装置本体
２ｃ  挿入口
３  ファン部材
４  モータ
５  吸入口
６  吐出口
７  操作手段
８  可変抵抗器
９  表示灯
１０  噴出口
１１  静電霧化微粒子水発生装置
１２  案内部材
１３  ロック手段
１３ａ  ロック部材
１４  制御基板
１５  揺動部材
１６  活性炭フィルタ
１７  冷却手段
１８  カバー部材
１９  摺動レール
２０  可動部材
２１  転動部材
２２  収容部
２２ａ  係止手段
２３  ソレノイド（解除手段）
２４  連結手段
２４ｃ  係止部材
２５  取外治具
２５ｃ  押圧ピン
Ｓ  島設備
Ｐ  パチンコ遊技機
Ｄ  アーム部
ｓ  スプリング（付勢手段）
α  ロック位置
β  非ロック位置
【図１】
2013135822.tif 000003
【図２】
2013135822.tif 000004
【図３】
2013135822.tif 000005
【図４】
2013135822.tif 000006
【図５】
2013135822.tif 000007
【図６】
2013135822.tif 000008
【図７】
2013135822.tif 000009
【図８】
2013135822.tif 000010
【図９】
2013135822.tif 000011
【図１０】
2013135822.tif 000012
【図１１】
2013135822.tif 000013
【図１２】
2013135822.tif 000014
【図１３】
2013135822.tif 000015
【図１４】
2013135822.tif 000016
【図１５】
2013135822.tif 000017
【図１６】
2013135822.tif 000018
【図１７】
2013135822.tif 000019
【図１８】
2013135822.tif 000020